(57)【要約】【課題】ユーザがハンドルを手で握った場合に、手が保持具に接触することを回避できる作業機を提供する。【解決手段】回転軸２１を有するモータ１１と、モータ１１を支持するモータケース１６と、モータケース１６から直線Ｄ１に沿った方向に突出されたハンドル１７と、を備えた作業機１０であって、モータケース１６に設けられ、かつ、係止具に対して着脱可能な保持具８０を取り付けできる外周面７０と、外周面７０とハンドル１７との間に設けられた壁部６９と、を有し、壁部６９は、モータケース１６またはハンドル１７の少なくとも一方に接続され、かつ、回転中心線Ａ１に沿った方向に突出されている。【選択図】図１
2020179479.tif 000002
【特許請求の範囲】
【請求項１】
回転軸を有するモータと、
前記モータを支持するケースと、
前記ケースから第１方向に突出されたハンドルと、
を備えた作業機であって、
前記ケースに設けられ、かつ、係止具に対して着脱可能な保持具を取り付ける取付部と、
前記第１方向において前記取付部と前記ハンドルとの間に設けられた壁部と、
を有し、
前記壁部は、前記ケースまたは前記ハンドルの少なくとも一方に接続され、かつ、前記第１方向に対して交差する第２方向に突出されている、作業機。
【請求項２】
前記取付部と前記壁部とが前記回転軸の回転中心線に対して交差する方向に離間して配置されることにより、前記取付部と前記壁部との間に隙間が設けられ、
前記保持具の一部は、前記隙間に配置されている、請求項１記載の作業機。
【請求項３】
前記取付部は、前記回転中心線を中心として環状に配置されている、請求項２記載の作業機。
【請求項４】
前記保持具は、前記取付部の外面に沿って環状に巻き付けられている、請求項３記載の作業機。
【請求項５】
前記取付部は、前記回転中心線に沿った第３方向における所定範囲に設けられ、
前記取付部の外径は、前記所定範囲において同一である、請求項２乃至４の何れか１項記載の作業機。
【請求項６】
前記取付部は、前記回転中心線に対して交差する方向に突出したストッパを有し、
前記ストッパは、前記保持具が前記取付部に対して前記第３方向に移動することを阻止する、請求項５記載の作業機。
【請求項７】
前記取付部は、前記回転中心線を中心として環状に設けられた凹部であり、
前記凹部の底面は、前記回転中心線に対して垂直な方向において、前記ケースの外面よりも内側に配置されている、請求項５記載の作業機。
【請求項８】
前記取付部は、前記回転軸の回転中心線を中心として環状に配置され、かつ、前記ケースから前記回転中心線に沿った方向に突出され、
前記取付部の外径は、前記回転中心線に沿った方向で前記ケースからに離間することに伴い増加している、請求項１記載の作業機。
【請求項９】
前記取付部の少なくとも一部は、合成ゴム製である、請求項１乃至８の何れか１項記載の作業機。
【請求項１０】
前記取付部の少なくとも一部は、金属製である、請求項１乃至９の何れか１項記載の作業機。
【請求項１１】
前記ケースに設けられた開口部と、
前記ケースとは別部材で構成され、かつ、前記開口部を塞ぐカバーと、
を有し、
前記取付部は、前記カバーに設けられている、請求項１乃至１０の何れか１項記載の作業機。
【請求項１２】
前記ケースは、第１筒部を有し、
前記カバーは、第２筒部を有し、
前記第１筒部及び前記第２筒部は、前記回転軸の回転中心線を中心として同心状に配置され、
前記第２筒部は、前記回転中心線を中心とする径方向で前記第１筒部よりも外側に配置されている、請求項１１に記載の作業機。
【請求項１３】
前記隙間は、前記回転中心線に沿った方向の長さを有する、請求項２乃至７の何れか１項記載の作業機。
【請求項１４】
前記第１方向は、前記回転軸の回転中心線に対して交差する方向である、請求項１記載の作業機。
【発明の詳細な説明】
【技術分野】
【０００１】
本発明は、モータと、モータを収容するハウジングと、ハウジングから突出して設けられたハンドルと、を備えた作業機に関する。
【背景技術】
【０００２】
モータと、モータを収容するハウジングと、ハウジングから突出して設けられたハンドルと、を備えた作業機の一例が、特許文献１に記載されている。特許文献１に記載された作業機は、ハウジングとしての工具本体胴部、ハンドル、電池保持部、蓄電池、保持具としてのバンド、フックを有する。ハンドルは、工具本体胴部に接続されている。電池保持部は、ハンドルの端部に設けられている。バンドは環状であり、バンドは、工具本体胴部のうち突き出している箇所に巻かれている。フックは、バンドによって工具本体胴部に取り付けられている。
【先行技術文献】
【特許文献】
【０００３】
【特許文献１】実開平６−３１９７４号公報
【発明の概要】
【発明が解決しようとする課題】
【０００４】
本願発明者は、ハンドルを握った手と保持具とが接触する可能性がある、という課題を認識した。
【０００５】
本発明の目的は、ユーザがハンドルを手で握った場合に、手が保持具に接触することを回避できる作業機を提供することにある。
【課題を解決するための手段】
【０００６】
一実施形態の作業機は、回転軸を有するモータと、前記モータを支持するケースと、前記ケースから第１方向に突出されたハンドルと、を備えた作業機であって、記ケースに設けられ、かつ、係止具に対して着脱可能な保持具を取り付ける取付部と、前記第１方向において前記取付部と前記ハンドルとの間に設けられた壁部と、を有し、前記壁部は、前記ケースまたは前記ハンドルの少なくとも一方に接続され、かつ、前記第１方向に対して交差する第２方向に突出されている。
【発明の効果】
【０００７】
一実施形態の作業機は、ハンドルを握った手と保持具とが接触することを回避できる。
【図面の簡単な説明】
【０００８】
【図１】本発明の作業機の一実施形態を示す正面断面図である。
【図２】図１に示す作業機の部分的な正面断面図である。
【図３】図１に示す作業機の部分的な正面図である。
【図４】図１に示す作業機の左側面図である。
【図５】図２のＶ−Ｖ線における左側面断面図である。
【図６】図１に示す作業機に設けたカバーの他の例であり、保持具がカバーに取り付けられている状態を示す部分的な正面図である。
【図７】図６に示すカバーに、保持具が取り付けられていない状態を示す部分的な正面図である。
【図８】カバーの他の例であり、保持具がカバーに取り付けられている状態を示す部分的な正面図である。
【図９】図８に示すカバーに、保持具が取り付けられていない状態を示す部分的な正面図である。
【図１０】カバーの他の例であり、保持具がカバーに取り付けられている状態を示す部分的な正面図である。
【図１１】図１０に示すカバーに、保持具が取り付けられていない状態を示す部分的な正面図である。
【図１２】取付部がモータケース自体に設けられている例を示す部分的な正面図である。
【発明を実施するための形態】
【０００９】
以下、本発明の作業機の一実施形態を図面を用いて説明する。
【００１０】
図１及び図２に示す作業機１０は、インパクトドライバであり、作業機１０は、モータ１１、ハウジング１２、ハンマケース１３、ハンマ１４及びアンビル１５を有する。ハウジング１２は、モータケース１６、ハンドル１７及びカバー１８を有する。ハンドル１７は、モータケース１６に接続されている。モータケース１６及びハンドル１７は、一例として単一の部材によって一体化されている。モータケース１６及びハンドル１７を構成する単一の部材は、合成樹脂製、一例としてナイロン製またはポリカーボネート製である。ナイロンは、ガラス繊維を含有していてもよい。また、合成ゴムが、合成樹脂の表面の少なくとも一部を覆っていてもよい。
【００１１】
モータケース１６は筒形状であり、モータ１１は、モータケース１６の内部Ｂ１に収容されている。モータ１１は、モータケース１６によって直接及び間接に支持されている。モータ１１は、電動モータであり、モータ１１は、ステータ１９、ロータ２０及び回転軸２１を有する。ステータ１９は、ステータコアに導線を巻いたものである。ステータ１９は、モータケース１６によって回転しないように支持されている。ステータ１９は環状であり、ロータ２０はステータ１９の内側に配置されている。ロータ２０は、ロータコアに永久磁石を取り付けたものである。ロータ２０は、回転軸２１の外周面に固定されている。ステータ１９及びロータ２０は、回転中心線Ａ１を中心として同心状に配置されている。
【００１２】
ハンマケース１３は筒形状であり、ハンマケース１３はモータケース１６に固定されている。隔壁２２がモータケース１６内に設けられ、隔壁２２は、モータケース１６の内部Ｂ１と、ハンマケース１３の内部とを仕切っている。隔壁２２はハウジング１２に対して回転しないように設けられている。隔壁２２は軸受２３を支持し、軸受２３は、回転軸２１を回転できるように支持する。回転軸２１は回転中心線Ａ１を中心として回転できる。
【００１３】
回転中心線Ａ１に沿った方向で、モータケース１６の配置範囲の一部と、ハンマケース１３の配置範囲の一部とが重なっている。回転中心線Ａ１に沿った方向におけるハンマケース１３の一部は、径方向でモータケース１６の内側に配置されている。回転中心線Ａ１に沿った方向におけるハンマケース１３の一部は、モータケース１６の外に配置されている。
【００１４】
フロントカバー２４がハンマケース１３に取り付けられている。フロントカバー２４は、筒形状であり、かつ、合成樹脂製である。フロントカバー２４は、ハンマケース１３のうち、モータケース１６の外に配置されている部位を覆っている。
【００１５】
ハンマケース１３は軸孔２５を有している。軸孔２５は、回転中心線Ａ１を中心として形成されている。軸孔２５に、円筒状のスリーブ２６が設けられている。スリーブ２６は、軸受２７を介してアンビル１５を支持している。つまり、モータケース１６は、スリーブ２６及び軸受２７を介してアンビル１５を間接に支持している。アンビル１５は金属製、一例として鉄製である。アンビル１５は回転中心線Ａ１を中心として回転できる。アンビル１５は、ハンマケース１３の内部から、ハンマケース１３の外部に亘って設けられている。アンビル１５は、工具保持孔２８を有する。アンビル１５にスリーブ８５が取り付けられている。スリーブ８５は、アンビル１５に対して回転中心線Ａ１方向に移動可能である。ユーザは、スリーブ８５を操作し、かつ、工具としてのドライバビット２９を工具保持孔２８に取り付け及び取り外しできる。
【００１６】
また、アンビル１５は、支持軸３０を有する。支持軸３０は、ハンマケース１３内に配置されている。さらに、アンビル１５は、複数の突起部３１を有する。複数の突起部３１は、ハンマケース１３内に配置されている。一例として、３個の突起部３１が、アンビル１５の回転方向に等角度の間隔で配置されている。
【００１７】
減速機３２が、ハンマケース１３内に設けられている。減速機３２は、回転中心線Ａ１に沿った方向で、隔壁２２とアンビル１５との間に配置されている。減速機３２は、モータ１１の回転力をアンビル１５に伝達する動力伝達装置である。減速機３２は、一例としてシングルピニオン型の遊星歯車機構により構成されている。
【００１８】
減速機３２は、サンギヤ３３、リングギヤ３４、ピニオンギヤ３５を支持するキャリヤ３６を有する。サンギヤ３３は、回転軸２１に固定されている。リングギヤ３４は、ハンマケース１３内に回転しないように設けられている。ピニオンギヤ３５は、複数設けられ、複数のピニオンギヤ３５は、サンギヤ３３及びリングギヤ３４にそれぞれ噛み合っている。キャリヤ３６は、複数のピニオンギヤ３５を自転、かつ、公転可能に支持している。キャリヤ３６は、軸受３７を介して隔壁２２によって支持されている。
【００１９】
スピンドル３８が、ハンマケース１３内に設けられている。スピンドル３８は金属製であり、スピンドル３８はキャリヤ３６に連結されている。スピンドル３８は、回転中心線Ａ１に沿った方向で、減速機３２とアンビル１５との間に配置されている。スピンドル３８は、支持軸３０によって支持されている。スピンドル３８は、回転中心線Ａ１を中心として回転できる。スピンドル３８はアンビル１５に対して回転可能である。
【００２０】
カム溝３９が、スピンドル３８の外周面に複数、例えば、２本設けられている。２本のカム溝３９は、スピンドル３８の回転方向で異なる範囲に配置されている。また、ハンマ１４は金属製であり、ハンマ１４はハンマケース１３内に設けられている。ハンマ１４は、例えば鉄製である。ハンマ１４は環状であり、ハンマ１４はスピンドル３８の外周面に取り付けられている。ハンマ１４は、回転中心線Ａ１に沿った方向で、減速機３２とアンビル１５との間に配置されている。ハンマ１４は、スピンドル４８に対して回転可能であり、かつ、スピンドル３８及びアンビル１５に対して回転中心線Ａ１に沿った方向に移動可能である。
【００２１】
カム溝４０が、ハンマ１４の内周面に２個形成されている。１個のカム溝４０及び１個のカム溝３９を１組として、１個のボール４１が保持されている。このため、ハンマ１４は、スピンドル３８及びアンビル１５に対して、ボール４１が転動可能な範囲で回転中心線Ａ１に沿った方向に移動可能である。また、ハンマ１４は、スピンドル３８に対して、ボール４１が転動可能な範囲で回転可能である。
【００２２】
さらに、スプリング４２がハンマケース１３内に設けられている。スプリング４９は金属製であり、圧縮荷重を受けて反発力を生じる。また、キャリヤ３６に、環状のプレート５０が取り付けられている。スプリング４９は、回転中心線Ａ１に沿った方向において、プレート５０とハンマ１４との間に配置されている。ハンマ１４は、スプリング４９の付勢力により、回転中心線Ａ１に沿った方向でアンビル１５に近づく向きで押されている。
【００２３】
さらに、突起部５１が、ハンマ１４に設けられている。突起部５１は、ハンマ１４において回転中心線Ａ１に沿った方向でアンビル１５に最も近い端部から突出している。突起部５１は複数、一例として、ハンマ１４の回転方向に等角度の間隔で３個設けられている。
【００２４】
ハンドル１７はモータケース１６から、回転中心線Ａ１に対して交差する方向に突出している。図１では、ハンドル１７が回転中心線Ａ１に対して交差する方向を、直線Ｄ１で表してある。図１は、回転中心線Ａ１及び直線Ｄ１を同一平面内に表している。図１に示す直線Ｄ１は、回転中心線Ａ１に対して交差、つまり、傾斜している。直線Ｄ１と回転中心線Ａ１との間に形成される角度は、９０度でもよいし、９０度とは異なっていてもよい。直線Ｄ１の技術的意味の定義には、次のような例が含まれる。
【００２５】
第１の定義例は、回転中心線Ａ１に沿った方向におけるハンドル１７の幅が、ハンドル１７の突出方向で不均一である場合に対応する。ハンドル１７のうち、回転中心線Ａ１に沿った方向の幅が、最も広い箇所に対応する２本の接線に対して平行な直線を、直線Ｄ１と定義可能である。
【００２６】
第２の定義例は、回転中心線Ａ１に沿った方向におけるハンドル１７の幅が、ハンドル１７の突出方向の全部で一定である場合に対応する。ハンドル１７の幅方向の中央を通る線分を、直線Ｄ１と定義可能である。
【００２７】
第３の定義例は、ハウジング１２内に設けられている２つの要素を結ぶ線分に対応する。例えば、回転中心線Ａ１に沿った方向におけるハンマケース１３中心と、コントローラ５７の端部とを結ぶ直線を、直線Ｄ１として定義可能である。
【００２８】
ハンドル１７に装着部５２が設けられている。ユーザはハンドル１７を手で握る。装着部５２は、ハンドル１７のうち、モータケース１６に接続された箇所とは反対の箇所に設けられている。装着部５２は、第１端子を有する。
【００２９】
本実施形態のモータケース１６及びハンドル１７は、図４及び図５に示す２個の構成片７７，７８を、締結要素で互いに結合して固定されている。構成片７７，７８は、回転中心線Ａ１を境界として分割されている。構成片７７，７８は、回転中心線Ａ１を隔てて線対称の形状である。構成片７７は、モータケース１６の半分、ハンドル１７の半分、及び装着部５２の半分が連続した要素である。構成片７８は、モータケース１６の半分、ハンドル１７の半分、及び装着部５２の半分が連続した要素である。２個の構成片７７，７８を固定する締結要素は、ねじ部材を含む。図１及び図２に示す例では、構成片７７に雌ねじ穴７９が複数設けられ、ねじ部材を雌ねじ穴７９に挿入して締め付け、構成片７７と構成片７８とが固定されている。
【００３０】
電源５３が、装着部５２に取り付けられている、電源５３は、装着部５２に対して取り付け及び取り外しできる。電源５３は、収容ケース５４と、収容ケース５４内に収容した複数の電池セルと、を有する。電池セルは、充電及び放電が可能な二次電池である。電池セルは、リチウムイオン電池、ニッケル水素電池、リチウムイオンポリマー電池、ニッケルカドミウム電池を用いることができる。電源５３は直流電源である。電源５３は、電池セルの電極に接続された第２端子を有する。電源５３が装着部５２に取り付けられていると、第１端子と第２端子とが、通電可能に接続される。
【００３１】
トリガ５５がハンドル１７に設けられ、トリガスイッチ５６がハンドル１７内に設けられている。ユーザはトリガ５５に操作力を付加及び解除する。トリガスイッチ５６は、トリガ５５の操作量を検出して信号を出力する。コントローラ５７が、装着部５２内に設けられている。コントローラ５７は、入力ポート、出力ポート、中央処理装置及びメモリ等を有する。さらに、位置検出回路及びインバータ回路がハウジング１２内に設けられている。切替スイッチが、ハウジング１２の外面に設けられている。
【００３２】
ユーザは、切替スイッチを操作して、アンビル１５の回転方向を選択する。切替スイッチは、信号を出力する。位置検出回路は、ロータ２０の回転方向における位置を検出して信号を出力する。インバータ回路は、電源５３とモータ１１のステータ１９との間の電気回路の一部を構成する。インバータ回路は、複数のスイッチング素子を有する。コントローラ５７は、切替スイッチの信号、トリガスイッチ５６の信号及び位置検出回路の信号を処理し、かつ、インバータ回路を制御する。コントローラ５７は、トリガ５５の操作量に応じてモータ１１の回転速度を制御する。
【００３３】
次に、作業機１０の使用例を説明する。ユーザは、切替スイッチを操作して、アンビル１５の回転方向を選択する。ユーザがトリガ５５に操作力を付加すると、コントローラ５７はインバータ回路を制御し、電源５３の電力をステータ１９に供給する。ステータ１９とロータ２０との間に回転磁界が形成され、ロータ２０及び回転軸２１が第１方向に回転する。回転軸２１の回転力は、減速機３２のサンギヤ３３に伝達される。サンギヤ３３に回転力が伝達されると、リングギヤ３４が反力要素となり、キャリヤ３６が出力要素となる。すなわち、減速機３２は、サンギヤ３３の回転力をキャリヤ３６に伝達し、サンギヤ３３の回転速度に対してキャリヤ３６の回転速度を減速することで、回転力を増幅させる。
【００３４】
キャリヤ３６に回転力が伝達されると、スピンドル３８はキャリヤ３６と共に一体で回転し、スピンドル３８の回転力は、ボール４１を介してハンマ１４に伝達される。すると、突起部５１と突起部３１とが係合し、ハンマ１４の回転力がアンビル１５に伝達される。そして、アンビル１５の回転力はドライバビット２９を介して締結要素に伝達され、締結要素が締め付けられる。
【００３５】
アンビル１５を回転させるために必要な回転力が高くなると、ハンマ１４がスプリング４９の押圧力に抗して回転中心線Ａ１に沿い、かつ、アンビル１５から離間する向きで移動する。ハンマ１４が移動して突起部５１が突起部３１を乗り越えると、ハンマ１４は、スプリングの付勢力でアンビル１５に近づく向きに移動する。そして、ハンマ１４の突起部５１が、アンビル１５の突起部３１に衝突し、アンビル１５に回転方向の打撃力が加えられる。
【００３６】
作業機１０は、ロータ２０が回転している間、上記の作用を繰り返すことにより、締結要素の締め付けを継続する。なお、ユーザが切替スイッチを操作し、ロータ２０を第２方向に回転させると、アンビル１５は前述とは逆に回転し、締結要素を緩めることができる。
【００３７】
モータケース１６は、第１筒部５９を有する。第１筒部５９は、モータケース１６のうち、回転中心線Ａ１に沿った方向でアンビル１５が配置されている箇所から最も離間した箇所に配置されている。カバー１８は、ハウジング１２、具体的にはモータケース１６の第１筒部５９に取り付けられている。カバー１８は少なくとも一部が金属製、一例としてアルミニウム製、鉄製、マグネシウム製である。カバー１８の全部が金属製でもよい。また、合成ゴムが、カバー１８の外面に被覆されていてもよい。カバー１８を構成する金属の機械的強度、例えば、硬度は、モータケース１６の硬度よりも高い。カバー１８は第１筒部５９を塞ぎ、カバー１８は、モータケース１６の内部Ｂ１と外部Ｂ２とを隔てる。モータケース１６の外部Ｂ２は、ハウジング１２の外部Ｂ２として把握可能である。
【００３８】
モータケース１６は、図５のように複数の雌ねじ穴６０を有する。複数、一例として４個の雌ねじ穴６０が、開口部５８の周りに間隔をおいて配置されている。雌ねじ穴６０は、構成片７７，７８にそれぞれ設けられている。複数、一例として図４に示す４本のねじ部材６１が雌ねじ穴６０に挿入されて締め付けられている。つまり、カバー１８は、ねじ部材６１によってモータケース１６に固定されている。
【００３９】
カバー１８は、プレート部６２及び第２筒部６３を有する。プレート部６２は、回転中心線Ａ１に対して交差して配置、一例として垂直に配置されている。第２筒部６３は、プレート部６２の外周から回転中心線Ａ１に沿った方向に突出されている。回転中心線Ａ１を中心とする径方向で、第２筒部６３の一部は、第１筒部５９よりも外側に配置されている。図２に示す第２筒部６３は、第１筒部５９の外面に重なって配置されている例である。
【００４０】
環状の保持部６４が、プレート部６２の内面に設けられている。保持部６４は軸受６５を保持し、軸受６５は回転軸２１を回転可能に支持している。つまり、軸受２３，６５が、回転軸２１を回転可能に支持している。
【００４１】
ファン６６が回転軸２１に取り付けられている。ファン６６は、回転中心線Ａ１に沿った方向で、モータ１１とプレート部６２との間に配置されている。ファン６６は、例えば、遠心ファンまたは軸流ファンである。回転中心線Ａ１に沿った方向におけるファン６６の配置範囲の少なくとも一部は、カバー１８の内部Ｃ１に位置する。カバー１８の内部Ｃ１と、モータケース１６の内部Ｂ１とがつながっている。
【００４２】
ファン６６が回転軸２１の回転力で回転すると、ハウジング１２の外部Ｂ２の空気は、モータケース１６の内部Ｂ１に吸い込まれる。モータ１１から熱が伝達された空気は、ハンマケース１３の外面と、フロントカバー２４の内面との間を流れ、かつ、ハウジング１２の外部に排出される。したがって、モータ１１の温度上昇を抑制できる。また、モータ１１の熱の一部がカバー１８に伝達されると、カバー１８の外面からハウジング１２の外部に放熱される。したがって、モータ１１の温度上昇を一層抑制できる。
【００４３】
作業機１０がユーザの手から落下すると、金属製のカバー１８が物体、例えば、床または作業台に接触する。したがって、モータケース１６の変形、破損、傷の少なくとも何れかを防止できる。また、カバー１８の硬度は、ハウジング１２の硬度よりも高いため、カバー１８の変形、破損、傷を防止できる。このため、カバー１８が、軸受６５を回転中心線Ａ１に対して交差する方向に位置決めする精度が低下することを抑制できる。したがって、ロータ２０がステータ１９に対し、径方向に移動すること抑制できる。
【００４４】
ハウジング１２は、壁部６９を有する。壁部６９は、モータケース１６またはハンドル１７の何れか一方に設けられているか、または、モータケース１６及びハンドル１７の両方に亘って設けられている。壁部６９は、モータケース１６のうち、回転中心線Ａ１に沿った方向でカバー１８に最も近い箇所から、回転中心線Ａ１に沿った方向に突出している。回転中心線Ａ１に沿った方向において、壁部６９の突出量は、カバー１８の長さ未満である。
【００４５】
図４のように、壁部６９の幅Ｌ１は、例えば、ハンドル１７の最大幅Ｌ２以下である。幅Ｌ１及び最大幅Ｌ２は、ハンドル１７がモータケース１６から突出した方向を表す直線Ｄ１に対して交差する方向の長さである。最大幅Ｌ２は、カバー１８の直径よりも小さい。壁部６９の幅Ｌ１は、壁部６９が、カバー１８の外周面７０の円周方向における一部と対向するように設定されている。
【００４６】
図３のように、カバー１８の外周面７０と、壁部６９との間に隙間７１が形成されている。つまり、壁部６９と外周面７０とが回転中心線Ａ１に対して交差する方向に離間して配置され、壁部６９と外周面７０との間に隙間７１が形成されている。隙間７１は、回転中心線Ａ１を中心とする径方向の空間である。隙間７１は、カバー１８及び壁部６９が存在しない空間である。
【００４７】
保持具８０が、作業機１０に取り付けられている。保持具８０は、インパクトキャッッチャーと呼ばれる。保持具８０は、金属製、例えば、鉄製、ステンレス製、アルミニウム製である。保持具８０は、本体８１、第１係止部８２、第２係止部８３及びバンド８４を有する。本体８１は棒状であり、第１係止部８２はリング状である。バンド８４は、板状であり、ユーザは、手でバンド８４を弾性変形させることができる。第１係止部８２は、本体８１に接続されている。第１係止部８２は、ハンマケース１３に掛けられている。
【００４８】
バンド８４は、本体８１に接続され、かつ、Ｃ字形状である。カバー１８の外周面７０は、回転中心線Ａ１を囲むように配置されている。バンド８４は、カバー１８の外周面７０に取り付けられる。図４のようにねじ部材８６が設けられ、ユーザがねじ部材８６を締め付けると、バンド８４がカバー１８に固定される。ユーザがねじ部材８６を緩めると、バンド８４をカバー１８から取り外し可能である。図３のように、外周面７０は、回転中心線Ａ１に沿った方向で所定範囲Ｅ１に設けられている。所定範囲Ｅ１は、バンド８４の幅以上である。外周面７０の回転中心線Ａ１を中心とする外径Ｒ１は、所定範囲Ｅ１で同一である。外径Ｒ１は、半径または直径の何れでもよいが、本実施形態では、外径Ｒ１を半径として説明する。
【００４９】
バンド８４の円周方向の一部は、隙間７１に配置されている。隙間７１は、回転中心線Ａ１に沿った方向の長さを有する。バンド８４の厚さは、隙間７１の寸法以下である。バンド８４は、壁部６９に接触しているか、または、壁部６９から離間している。第２係止部８３は、Ｕ字形状である。
【００５０】
保持具８０が作業機１０に取り付けられた状態において、本体８１は、モータケース１６の外面及びフロントカバー２４の外面に沿って配置されている。本体８１は、回転中心線Ａ１に沿った方向で、第１係止部８２と第２係止部８３との間に位置する。第２係止部８３は、係止具、例えば、ユーザのベルトのフック、作業場所のフック等に対して着脱可能、つまり、掛けること及び外すことが可能である。ユーザがハンドル１７を手で握ると、壁部６９は、バンド８４と手との間に位置する。したがって、ユーザの手とバンド８４とが接触することを防止でき、かつ、作業性の低下を抑制できる。
【００５１】
さらに、ハンドル１７を握った手がバンド８４に接触しないため、回転中心線Ａ１に沿った方向において、バンド８４をカバー１８に取り付ける位置を、なるべくモータケース１６に接近させることができる。したがって、回転中心線Ａ１に沿った方向における作業機１０の全長を短縮可能である。
【００５２】
また、外周面７０の回転中心線Ａ１を中心とする外径Ｒ１は、所定範囲Ｅ１内で同一である。所定範囲Ｅ１は、バンド８４の幅以上である。したがって、外周面７０に取り付けたバンド８４が、回転中心線Ａ１に対して傾斜することを抑制できる。
【００５３】
カバー１８の他の例が、図６及び図７に示されている。カバー１８は、ストッパ８７を有する。ストッパ８７は、回転中心線Ａ１を中心として環状に設けられている。ストッパ８７は、カバー１８から、回転中心線Ａ１に対して交差する方向に突出している。カバー１８は、凹部８８を有する。凹部８８は、カバー１８の全周に環状に設けられている。凹部８８は、回転中心線Ａ１に沿った方向で、ストッパ８７とモータケース１６との間に配置されている。図７のように、凹部８８の底面８９は、回転中心線Ａ１を中心とする仮想円の半径方向で、モータケース１６の外面９４よりも内側に配置されている。図７に仮想円は示されていない。底面８９と壁部６９とが、回転中心線Ａ１に沿った方向に離間して配置され、底面８９と壁部６９との間に隙間７１が形成されている。
【００５４】
本実施形態では、“回転中心線Ａ１を中心とする仮想円の半径方向”を、“回転中心線Ａ１を中心とする径方向”と記載している。回転中心線Ａ１を中心とする径方向で、ストッパ８７の外径は、底面８９の外径よりも大きい。底面８９と壁部６９との間に隙間７１が形成されている。バンド８４は、凹部８８に配置されている。図４に示すバンド８４と同様にねじ部材８６が締め付けられて、バンド８４がカバー１８に固定される。
【００５５】
バンド８４は、ストッパ８７及びモータケース１６によって、回転中心線Ａ１に沿った方向に位置決めされている。ストッパ８７は、バンド８４がカバー１８に対して回転中心線Ａ１に沿った方向に移動することを阻止する。つまり、バンド８４が凹部８８から外れることを防ぐ。図６及び図７に示すカバー１８にバンド８４を取り付けた作業機１０の他の効果は、図３に示すカバー１８にバンド８４を取り付けた作業機１０の効果と同じである。
【００５６】
カバー１８の他の例が、図８及び図９に示されている。カバー１８は、ストッパ８７を有する。ストッパ８７は、回転中心線Ａ１を中心として環状に設けられている。ストッパ８７の先端は、カバー１８の外周面７０から突出している。外周面７０は、回転中心線Ａ１を中心とする径方向で、モータケース１６の外面と同じ位置に配置されている。外周面７０と壁部６９との間に隙間７１が形成されている。バンド８４は、外周面７０に取り付けられる。バンド８４は、ストッパ８７及びモータケース１６によって、回転中心線Ａ１に沿った方向に位置決めされている。ストッパ８７は、バンド８４が外周面７０から外れることを防ぐ。図８及び図９に示すカバー１８にバンド８４を取り付けた作業機１０の他の効果は、図３に示すカバー１８にバンド８４を取り付けた作業機１０の効果と同じである。
【００５７】
カバー１８の他の例が、図１０及び図１１に示されている。カバー１８は、外周面７０の外径Ｒ１が回転中心線Ａ１に沿った方向で不均一である。外周面７０は、回転中心線Ａ１に沿った方向でモータケース１６に最も近い箇所は、モータケース１６の外面よりも内側に位置する。外周面７０の外径Ｒ１は、回転中心線Ａ１に沿った方向でモータケース１６から離間することに伴い増加している。つまり、外周面７０は、回転中心線Ａ１に対して傾斜したテーパを有する。外周面７０と壁部６９との間に隙間７１が形成されている。バンド８４は、外周面７０に取り付けられる。外周面７０がテーパを有するため、バンド８４が外周面７０から外れることを防止できる。図１０及び図１１に示すカバー１８にバンド８４を取り付けた作業機１０の他の効果は、図３に示すカバー１８にバンド８４を取り付けた作業機１０の効果と同じである。
【００５８】
図１２は、モータケース１６の他の例を示す。モータケース１６は、図２に示す開口部５８及びカバー１８を備えていない。モータケース１６は、筒部９１及びエンドプレート９２を有する。作業機１０を正面視すると、モータケース１６、筒部９１及びエンドプレート９２は、単一の部材により一体で形成されている。なお、作業機１０を側面視すると、図４と同様に、モータケース１６及びハンドル１７は、２個の構成片７７，７８を締結要素で互いに結合して固定してある。
【００５９】
筒部９１は、回転中心線Ａ１に沿った方向で、図２のアンビル１５が配置された箇所とは反対の箇所に設けられている。筒部９１は、回転中心線Ａ１を中心として配置されている。エンドプレート９２は筒部９１に接続され、かつ、回転中心線Ａ１に対して略垂直に配置されている。
【００６０】
筒部９１の外周面９３の外径Ｒ２は、回転中心線Ａ１に沿った方向の所定範囲Ｅ１で同一である。外周面９３と壁部６９とが、回転中心線Ａ１に対して交差する方向に離間して配置され、外周面９３と壁部６９との間に隙間７１が形成されている。バンド８４は、外周面９３に取り付けられる。バンド８４の円周方向における一部は、隙間７１に配置されている。図１２に示す筒部９１にバンド８４を取り付けた作業機１０の他の効果は、図３に示すカバー１８にバンド８４を取り付けた作業機１０の効果と同じである。
【００６１】
実施形態に開示された事項の技術的意味の一例は、次の通りである。作業機１０は、作業機の一例である。モータ１１は、モータの一例である。モータケース１６は、ケースの一例である。ハンドル１７は、ハンドルの一例である。アンビル１５は、工具支持部材の一例である。カバー１８は、カバーの一例である。外周面７０，９３、凹部８８の底面８９は、それぞれ取付部の一例である。凹部８８は、凹部の一例である。回転中心線Ａ１は、回転中心線の一例である。ハンドル１７がモータケース１６から突出した方向、つまり、直線Ｄ１に沿った方向は、第１方向の一例である。壁部６９は、壁部の一例である。壁部６９が突出した方向は、第２方向の一例である。隙間７１は、隙間の一例である。保持具８０は、保持具の一例である。回転中心線Ａ１に沿った方向が、第３方向の一例である。所定範囲Ｅ１，Ｅ２は、所定範囲の一例である。外径Ｒ１，Ｒ２は、外径の一例である。ストッパ８７は、ストッパの一例である。
【００６２】
作業機は、上記実施形態に限定されるものではなく、その要旨を逸脱しない範囲で種々変更可能であることは言うまでもない。例えば、工具支持部材は、回転力を受け、かつ、回転方向の打撃力を受けないものでもよい。また、工具支持部材は、回転力を受け、かつ、回転中心線方向の打撃力を受けるものでもよい。さらに、工具支持部材は、回転中心線方向の打撃力を受け、かつ、回転力を受けないものでもよい。工具支持部材の作動は、回転及び直動を含む。
【００６３】
工具支持部材は、工具を支持する要素である。工具支持部材は、第１構造または第２構造を含む。工具支持部材の第１構造は、工具を取り付け及び取り外し可能である。工具支持部材の第２構造は、工具が固定され、かつ、工具を取り外しできない。工具支持部材は、アンビル、チャック、ホルダ、プランジャ、エクステンション軸、ソケット、ボックス等を含む。工具は、ドライバビット、ドリルビット、カッタ、ハンマを含む。作業機は、インパクトドライバの他に、インパクトドリル、ハンマ、ハンマドリル、ドライバ、ドリルを含む。
【００６４】
ケースに設けられる取付部は、第１構成及び第２構成を含む。第１構成は、図１、図２、図６乃至図１１に示すように、ケースに取り付けられる別部材に取付部を設けるものである。第２構成は、図１２のように、ケース自体に取付部を設けるものである。
【００６５】
カバーまたは筒部のうち、バンドが取り付けられる取付部の少なくとも一部は、合成ゴム製とすることが可能である。取付部の少なくとも一部が合成ゴム製であると、バンドが、ケースに対して回転中心線に沿った方向に移動しにくい。また、バンドが、ケースに対して回転中心線の周りで回転することを防止できる。
【００６６】
本実施形態における隙間は、第１隙間または第２隙間の何れでもよい。第１隙間は、保持具が取付部と壁部との間に配置されていない状態で、保持具が取付部と壁部との間に存在する。つまり、取付部と壁部とが離間しており、ユーザが保持具を取付部に取り付けると、保持部の少なくとも一部が隙間に配置される。
【００６７】
第２隙間は、保持具が取付部と壁部との間に配置されていない状態で、保持具が取付部と壁部との間に存在しない。つまり、取付部と壁部とが接触している。そして、ユーザが保持具を取付部と壁部との間に挿入すると、取付部または壁部の少なくとも一方が弾性変形し、取付部と壁部との間に第２隙間が形成される。したがって、保持具の一部が、第２隙間に配置される。取付部の少なくとも一部が、合成ゴムまたは合成樹脂であると、弾性変形が容易である。壁部の少なくとも一部が、合成ゴムまたは合成樹脂であると、弾性変形が容易である。
【００６８】
ケースは、モータケース、筒部材、シェル、ボディ等を含む。取付部とケースとが別部材である構造、取付部とケースとが単一の部材で一体化されている構造の何れでもよい。カバーと保持部とが別部材で構成されていると、保持部とカバーとを互いに締結要素で固定する。回転中心線は、工学上の仮想線であり、かつ、物理的な存在物ではない。
【００６９】
電動モータは、ブラシ付きモータまたはブラシレスモータの何れでもよい。電動モータの回転中心線と、工具支持部材の回転中心線とが、平行に配置されていてもよい。モータは、電動モータの他に、空気圧モータ及び油圧モータを含む。モータとして電動モータを有する作業機は、電動作業機として定義可能である。さらに、モータケースの全部が第１部材で構成され、ハンドルの全部が第２部材で構成されていてもよい。第１部材と第２部材とは、それぞれ別部材であり、第１部材と第２部材とを互いに締結要素で固定してもよい。
【符号の説明】
【００７０】
１０…作業機、１１…モータ、１５…アンビル、１６…モータケース、１７…ハンドル、１８…カバー、２１…回転軸、３８…スピンドル、４１…ボール、５９…第１筒部、６３…第２筒部、６９…壁部、７０…外周面、８８…凹部、８９…底面、９４…外面、Ａ１…回転中心線、Ｅ１，Ｅ２…所定範囲、Ｒ１，Ｒ２…外径
【図１】
2020179479.tif 000003
【図２】
2020179479.tif 000004
【図３】
2020179479.tif 000005
【図４】
2020179479.tif 000006
【図５】
2020179479.tif 000007
【図６】
2020179479.tif 000008
【図７】
2020179479.tif 000009
【図８】
2020179479.tif 000010
【図９】
2020179479.tif 000011
【図１０】
2020179479.tif 000012
【図１１】
2020179479.tif 000013
【図１２】
2020179479.tif 000014